(57)【要約】【課題】【目的】平坦な場所ではない壁面や枝状部や棒状部に容易に草花を自在な向きで飾ることができるようにすること。【解決手段】蛇腹部を有する内部が空洞であるストロー状部の一方の先端部に挿入口を設け、草花を挿し入れ、飾られた草花は蛇腹部により自在に向きを変えることができ、他方の先端部かストロー状部の外表面には、壁面にさして取りつけるためのピン部を設ける。【選択図】　　図１
2004089642.tif 000002
【特許請求の範囲】
【請求項１】
蛇腹部（２）を有する内部が空洞のストロー状部（１）の一方の先端部の挿入口（３）から草花を挿し入れ、他方の先端部かストロー状部（１）の外表面に設けられたピン部（４）により壁面や柱状部等に取りつけられ、壁面や柱状部等に草花を飾ることができるように為された草花挿し具。
【発明の詳細な説明】
【０００１】
【発明の属する技術分野】
本発明は、草花を花瓶や一輪挿し瓶に挿したり、剣山に刺して飾るのではなく、本発明のストロー状部の挿入口から草花を挿し入れて、他方の先端部かストロー状部の外表面に設けてあるピン部を壁面や柱状部等に刺して草花を飾ることができるように為された草花挿し具に関するものである。
【０００２】
【従来の技術】
従来、本発明のようなものはなく、草花を飾るときは、花瓶や一輪挿し瓶やビン容器に水を入れて草花を挿すか、剣山の針に草花の幹を刺して剣山ごと花瓶に入れて草花を飾っていたのである。
【０００３】
【発明が解決しようとする課題】
従来、草花を飾るときは、花瓶や一輪挿し瓶やビン容器に入れて飾ったり、縁の浅い陶器に剣山を置き、剣山に刺して飾るしかなく、草花を飾る場所は床の間とか、玄関の下駄箱の上のような平坦な場所に限られてしまい、壁面に草花を飾りたいときは、壁面に板などを打ちつけて平坦な場所を作りその上に花瓶などを乗せるか、大がかりな工事をして壁面に花瓶や一輪挿し瓶やビン容器を構造的に取りつけなければならず大変であった。
【０００４】
【課題を解決するための手段】
蛇腹部を有する内部が空洞のストロー状部の一方の先端部を挿入口とし、他方の先端部かストロー状部の外表面にピン部を設けることで、ピン部により壁面などピンのさせる場所に取りつけることができ、開放状態になっている先端の挿入口から草花を挿し入れることにより手軽に簡単に壁面に限らず平坦でない場所にも草花を飾ることができるのであり、さらに、ストロー状部は蛇腹部を有しているので草花の向きを自在に変えることができるのである。
【０００５】
【発明の実施の形態】
本発明の草花挿し具は、壁面や柱状部などに取りつけることができるようにストロー状部の一方の密閉状態になっている先端部かストロー状部の外表面にピン部を設け、ピン部を壁面等に刺すことにより壁面等に取りつけられるのであり、ピン部が刺さる場所であれば、平面上でも、柱状部でも枝状や棒状になっている所でも取りつけることができるのである。
【０００６】
ストロー状部は、一方の先端部に挿入口を設け開放状態とし、他方の先端部は、挿しこんだ草花の幹元が突き抜けないように密閉した状態にすることにより、ストロー状部内部の空洞部に水を入れることができるようになり生花をストロー状部に挿したとき生花を長持ちさせるので効果的である。
【０００７】
ストロー状部の一方の先端部は、草花の幹元から挿し入れるための挿入口とし、開放状態になっており、挿入口の大きさは、挿し入れる草花の幹の太さにより大きくしたり、小さくしたり変更することができるので、挿入口の大きさを変えることにより草花を一本から複数本挿して飾ることができるので便利である。
【０００８】
内部が空洞のストロー状部は、蛇腹部を有することにより、挿した草花の向きを自在に変えることができ、草花の重みで挿した草花の向きを維持できないときは、蛇腹部をストロー状部の一部だけとすることで草花の重みに対して挿した草花の向きを維持することができるので、挿した草花の向きを変え趣きを変える巾が広がり効果的である。
【０００９】
ストロー状部の長さは、挿した草花の重みに耐えられれば短くても長くても良いのだが、蛇腹状になっているので蛇腹部を縮めたり、伸ばしたりして長さを調整することができるので便利である。
【００１０】
本発明は、壁面などに取りつけられて草花やドライフラワーなどを挿し入れ飾られることが多いので、ストロー状部の材質は、樹脂やストローに使われているような材質にすると全体の重量が軽くなり効果的であり、ストロー状部に色彩をほどこすことによりディスプレイとしての楽しみも増すのである。
【００１１】
本発明の挿入口から草花を挿し入れ、草花の先が下向きである床の方向に向けて壁面に取りつけて飾るときは、草花が下に落ちないように挿入口の大きさを変えたり、挿入口と草花の間のすき間に詰め物をして落ちないように工夫することができるのである。
【００１２】
本発明は、ピン部によりピンが刺さる場所であればどこにでも取りつけることができるのであるが、ピンが刺さらない所でも、重量が軽いので、テープや接着剤で取りつけることができ便利である。
【００１３】
【実施例】
実施例について図面を参照して説明すると、図１において、蛇腹部（２）を有する内部が空洞であるストロー状部（１）の一方の先端部を草花を挿し入れるために開放状態とし挿入口（３）とする。ストロー状部（１）の他方の先端部は、挿し入れた草花の幹元が突き抜けないように密閉状態として、壁面などに取りつけるためのピン部（４）を設ける。
【００１４】
図２に示される実施例では、ストロー状部（１）の一方の先端の挿入口（３）から草花を幹部から挿し入れ、他方の先端部に設けられたピン部（４）により、壁面などにピン部（４）をさして本発明ごと取りつけられ草花を飾るのである。ピン部（４）を設ける位置は、他方の先端部以外、ストロー状部（１）の外表面のどこに設けても良いのである。
【００１５】
図３に示される実施例では、挿入口（３）から挿し入れられ、ピン部（４）により壁面に取りつけられ飾られた草花が、本発明の蛇腹部（２）を有するストロー状部（１）により、向きを自在に変えることができることと、蛇腹部（２）を縮めたり、伸ばしたりすることで、ストロー状部（１）の長さを調整しながら草花を挿し入れることができることを示した図である。
【００１６】
図４に示される実施例では、上述してきた本発明のストロー状部（１）に対して草花を一本だけ挿し入れて飾るのではなく、ストロー状部（１）の形状を変えることにより、複数本の草花を挿し入れて飾ることができることを示した参考図である。本発明は、蛇腹部（２）の長さや挿入口（３）の大きさなどや意匠やデザインを述べたものではなく、また、草花以外にも装飾品、日用品などを挿してもさしつかえないのである。
【００１７】
図５に示される実施例では、ストロー状部（１）の中に根を張らせるための土や脱脂綿等を入れ種や幼芽が成長していく過程において、蛇腹部（２）を伸ばしながら観察できる学習用としても使用できることを示したものである。
【００１８】
図６に示される実施例では、ストロー状部（１）に設けられたピン部（４）のかわりに発泡スチロール（６）等を取りつけ、剣山（７）の針を発泡スチロール（６）等につき刺すことにより、生花を飾るときの生花の倒れ防止として使用できることを示したものである。
【００１９】
図７に示される実施例では、ストロー状部（１）に通気穴（５）を設けることにより、空気の入れかえが行なわれ、挿した草花や生花を長持ちさせることができることを示したものである。
【００２０】
【発明の効果】
本発明は、以上説明したような形態で実施され、以下に記載されるような効果を奏する。
【００２１】
内部が空洞になっているストロー状部の一方の先端を挿入口として開放状態にすることにより、草花を挿し入れることができ、他方の先端部かストロー状部の外表面にピン部を設けることにより、ピンをさして壁面や平面や柱状部や枝状部や棒状部などピンがささる場所であれば取りつけることができ草花を飾ることができるのであり、今まで飾ることができなかった場所にも飾ることができるようになるので、精神的に豊かにさせ、心を落ち着かせることに役立つのである。
【００２２】
自在に曲がる蛇腹部を持つストロー状部の中に草花を挿し入れるので、蛇腹部を曲げることにより、飾られた草花は自在に向きを変えることができ、飾っている草花が同じでも、趣を変えることが容易にできるので毎日草花を変えることもなく草花を飾ることができ、草花を飾る楽しみが増すのである。また、本発明には、生花や観葉植物の他にドライフラワーや人工的に造られた擬似草花も挿し入れて飾ることもできるのである。
【００２３】
ストロー状部に色を付けることも、透明にすることもできるので、挿し入れて飾られた草花の色彩に加えて新たな色どりを楽しむこともでき、ディスプレイとして使用することもできるのである。
【００２４】
本発明は、蛇腹部を縮めたり、伸ばしたりすることにより、ストロー状部の長さを調整し、挿し入れる草花の幹の長さに対応できるので便利である。
【００２５】
本発明の挿入口の大きさを変えることにより、幹の太い花や松の枝なども挿し入れて飾ることができ便利である。また、ストロー状部や挿入口の形状を変えることにより、草花を一本だけ挿し入れることができることに加えて、複数本挿し入れて飾ることができるのである。
【００２６】
ストロー状部の一方の先端部を密閉状態にして水が洩れない構造にすることにより、ストロー状部の中に少量の水分を入れて挿し入れた生花や草花が長持ちするようになり経済的である。また、ストロー状部の内部に土や脱脂綿を入れることにより、植物の種を植えつけて成長するに従い蛇腹部を伸ばしてゆき、鑑賞することもできるので学習用としても使用することができるのである。
【００２７】
密閉状態にするとき、発泡スチロールやコルクなどを埋めこむことにより、生花用の剣山にさして生花をいけるときの花の倒れを防止し、花の向きを自在に変えて、自在な向きへ曲げるときの補助具として使用することもできるので便利である。
【００２８】
本発明は、軽い材質で作ることができるので、ピンがささらない所でも、テープや接着剤で取りつけることができ便利である。
【００２９】
本発明は、蛇腹部を有するストロー状部にピン部を設ける構造なので、ストローを製造するがごとく、安価に、簡単に製造できて経済的である。
【図面の簡単な説明】
【図１】本発明の実施例を示す斜視図である。
【図２】本発明の実施例を示す分解斜視図である。
【図３】本発明の使用状態を示す図である。
【図４】本発明の形状を変えた参考例図である。
【図５】他の実施例を示す斜視図である。
【図６】他の実施例を示す斜視図である。
【図７】側面に通気穴を設けた場合の参考例図である。
【符号の説明】
１　　ストロー状部
２　　蛇腹部
３　　挿入口
４　　ピン部
５　　通気穴
６　　発泡スチロール
７　　剣山
【図１】
2004089642.tif 000003
【図２】
2004089642.tif 000004
【図３】
2004089642.tif 000005
【図４】
2004089642.tif 000006
【図５】
2004089642.tif 000007
【図６】
2004089642.tif 000008
【図７】
2004089642.tif 000009